(57)【要約】【課題】照明カバーを取り外さなくとも器具内部の汚れを抑制することができる照明器具を提供する。【解決手段】照明器具１０は、凹部３１および周囲の縁部３４を有する例えば金属製の筐体３０と、凹部３１に収納された回路基板２０と、凹部３１を塞ぐように筐体３０に取り付けられ照明カバー１２とを備えている。照明カバー１２は、ＬＥＤ素子２２の発する光を透過させる光透過板１２ａと、光透過板１２ａの周囲を塞ぐように光透過板１２ａと重ねて設けられた例えば金属製の外枠部１２ｂとを含む。回路基板２０には電気的に埃捕集を行う埃捕集電極２１が設けられている。照明器具１０は、埃捕集電極２１に電圧を印加するための埃捕集回路２３を備えている。埃捕集電極２１が通電されることで埃を引き寄せることができ、照明カバー１２を取り外さなくとも照明器具１０の内部の汚れを防止することができる。【選択図】図５
2015153469.tif 000002
【特許請求の範囲】
【請求項１】
凹部を有する筐体と、
表面に発光素子が設けられ、前記凹部に収納された回路基板と、
前記凹部の内側に設けられ、埃による汚れを抑制するための防汚手段と、
前記凹部を塞ぐように前記筐体に取り付けられ、前記発光素子の光を透過させる照明カバーと、
を備える照明器具。
【請求項２】
前記防汚手段は、前記照明カバーと前記筐体との間を塞ぐ封止材を含む請求項１に記載の照明器具。
【請求項３】
前記防汚手段は、前記回路基板に設けられて電気的に埃捕集を行う埃捕集電極を含む請求項１または２に記載の照明器具。
【請求項４】
前記埃捕集電極は、前記回路基板の表面に前記発光素子を囲うように設けられ通電されることで埃を引き寄せる環状の電極を含む請求項３に記載の照明器具。
【請求項５】
前記防汚手段は、前記照明カバーの内側面を清掃する清掃手段を含む請求項１〜４のいずれか１項に記載の照明器具。
【請求項６】
前記清掃手段は、
前記照明カバーの表面方向に移動可能な可動部と、
前記可動部に設けられ前記可動部の移動に伴って前記照明カバーの内側面に接することで前記内側面を掃除する掃除部と、
を備える請求項５に記載の照明器具。
【請求項７】
前記照明カバーの内側に設けられ前記発光素子を露出させつつ前記回路基板における前記発光素子の周囲を覆う内部カバーを、さらに有し、
前記防汚手段は、前記内部カバーにおける前記照明カバー側の表面への埃付着を抑制する請求項１〜６のいずれか１項に記載の照明器具。
【請求項８】
前記内部カバーは合成樹脂製である請求項７に記載の照明器具。
【請求項９】
前記照明カバーは、
光透過板と、
前記光透過板の周囲を塞ぐように前記光透過板と重ねて設けられた外枠部と、
を含む請求項１〜８のいずれか１項に記載の照明器具。
【発明の詳細な説明】
【技術分野】
【０００１】
本発明は、照明器具に関する。
【背景技術】
【０００２】
従来、例えば、下記の特許文献１、２に開示されているように、筐体外部の清掃を行うための手段を備えた照明器具が知られている。特開２０１０−２７７７０９号公報にかかる照明器具は電気的な清掃手段により筐体外部の汚れを除去するものである。特開２０１３−４５０４号公報にかかる照明器具は回転自在に移動するアームを設けて、清掃を行う場合にはユーザあるいは清掃作業員がアームを手動で回転させることで清掃を行っている。
【先行技術文献】
【特許文献】
【０００３】
【特許文献１】特開２０１０−２７７７０９号公報
【特許文献２】特開２０１３−４５０４号公報
【発明の概要】
【発明が解決しようとする課題】
【０００４】
しかしながら、上記従来の技術では照明器具の筐体外部の汚れを除去するにとどまり、内部の汚れについては重視されていなかった。清掃時には照明カバーの外部表面をふき取る程度の清掃作業にとどまるのが普通であり、ユーザが照明カバーを取り外すなどの分解作業をして照明器具を清掃することは一般的ではない。また、近年では白熱灯や蛍光灯などの従来の光源に代わって、これらの旧型の光源と比べて長寿命なＬＥＤなどの固体発光素子が普及してきている。長寿命の発光素子であれば部品交換およびメインテナンスが長期にわたって不要となるので、使用環境によっては長期使用に伴い照明器具の内部の汚れが蓄積するという問題があった。
【０００５】
本発明は、上述のような課題を解決するためになされたもので、照明カバーを取り外さなくとも器具内部の汚れを抑制することができる照明器具を提供することを目的とする。
【課題を解決するための手段】
【０００６】
本発明にかかる照明器具は、凹部を有する筐体と、表面に発光素子が設けられ、前記凹部に収納された回路基板と、前記凹部の内側に設けられ、埃による汚れを抑制するための防汚手段と、前記凹部を塞ぐように前記筐体に取り付けられ、前記発光素子の光を透過させる照明カバーと、を備える。
【発明の効果】
【０００７】
本発明によれば、筐体内部に防汚手段を設けたので、照明カバーを取り外さなくとも器具内部の汚れを防止することができる。
【図面の簡単な説明】
【０００８】
【図１】本発明の実施の形態にかかる照明器具を示す外観斜視図である。
【図２】本発明の実施の形態にかかる照明器具の内部構造を示す分解斜視図である。
【図３】本発明の実施の形態にかかる照明器具の内部構造を示す斜視図である。
【図４】本発明の実施の形態にかかる照明器具を示す断面図である。
【図５】本発明の実施の形態にかかる照明器具の回路基板を示す平面図である。
【図６】本発明の実施の形態の変形例にかかる照明器具を示す斜視図である。
【図７】本発明の実施の形態の変形例にかかる照明器具を示す断面図である。
【図８】本発明の実施の形態の変形例にかかる照明器具を示す断面図である。
【図９】本発明の実施の形態の変形例にかかる照明器具を示す断面図である。
【発明を実施するための形態】
【０００９】
図１は、本発明の実施の形態にかかる照明器具１０を示す外観斜視図であり、照明器具１０が天井１に設置される様子を示している。図２は、照明器具１０の内部構造を示す分解斜視図である。図３は、照明器具１０の内部構造を示す斜視図であり、内部カバー２４を拡大したものである。図４は、照明器具１０を示す断面図である。
【００１０】
照明器具１０は、凹部３１および周囲の縁部３４を有する例えば金属製の筐体３０と、凹部３１に収納された回路基板２０と、筐体３０の底面と回路基板２０との間に介在する絶縁性クッション部材３２と、凹部３１を塞ぐように筐体３０に取り付けられた照明カバー１２と、筐体３０の中央に設けられた電源端子台および信号線端子台を覆うＶ型反射板１４を備えている。照明カバー１２は、ＬＥＤ素子２２の発する光を透過させる光透過板１２ａと、光透過板１２ａの周囲を塞ぐように光透過板１２ａと重ねて設けられた例えば金属製の外枠部１２ｂとを含む。外枠部１２ｂを取り外さない限り光透過板１２ａを取り外すことができないので、不用意にＬＥＤ素子２２が露出することを防止できる。
【００１１】
図３に示すように、照明器具１０は、照明カバー１２の内側に内部カバー２４を有している。内部カバー２４は、コの字の断面形状を有し回路基板２０と同程度の長さを備える長尺の部材であり、回路基板２０に被せられる。内部カバー２４の長手方向の両端には端部２４ｂがあり、内部カバー２４の両脇を伸びるように側壁部２４ｃが設けられている。内部カバー２４は、合成樹脂製で電気絶縁性であり作業者が回路基板２０に電気的に接触するのを防止することができる。内部カバー２４の表面は、ＬＥＤ素子２２の光を反射する色、例えば白色を備えている。内部カバー２４は、主面２４ａにその長手方向に並ぶ複数の窪み部２４ｄを備えている。窪み部２４ｄの底は開口しておりＬＥＤ素子２２を露出させ、窪み部２４ｄの底以外の部分が回路基板２０におけるＬＥＤ素子２２の周囲を覆っている。これによりＬＥＤ素子２２の発する光を効率よく照明カバー１２側に向けることができる。
【００１２】
図５は、照明器具１０の回路基板２０を示す平面図である。回路基板２０は、その表面にＬＥＤ素子２２が設けられ、一例としては樹脂などの絶縁性材料で形成されたプリント基板を用いても良い。回路基板２０には、ＬＥＤ素子２２と半田付けなどで接続されるＬＥＤ電極と、複数のＬＥＤ素子２２を電気的に接続（典型的には直列接続）させるＬＥＤ接続配線とが設けられている。一例としては、このＬＥＤ電極はＬＥＤ素子２２で覆われて回路基板２０の表面には露出せず、接続配線も絶縁性コーティング材などで覆われることで露出しないようになっていてもよい。ただしＬＥＤ電極およびＬＥＤ接続配線の一部または全部が露出している照明器具においても本発明を適用できる。
【００１３】
回路基板２０には電気的に埃捕集を行う埃捕集電極２１が設けられている。埃捕集電極２１は、回路基板２０の表面に設けられて複数のＬＥＤ素子２２を囲う環状の電極であり、本実施の形態では回路基板２０の表面に露出している。照明器具１０は、埃捕集電極２１に電圧を印加するための埃捕集回路２３を備えている。埃捕集電極２１が通電されることで埃を引き寄せることができ、照明カバー１２を取り外さなくとも照明器具１０の内部の汚れを防止することができる。なお、照明器具１０は、ＬＥＤ素子２２を点灯させるＬＥＤ点灯回路２５も備えている。ＬＥＤ点灯回路２５は、回路基板２０以外の他の回路基板に設けられていても良いし、回路基板２０に一体に設けられていても良い。埃捕集電極２１に与える電圧の大きさは適宜に設計すればよく、埃捕集回路２３がＬＥＤ点灯回路２５が出力する直流電圧あるいはＬＥＤ点灯回路２５内における制御電源電圧を変換（減電圧）して埃捕集電極２１に供給すればよい。
【００１４】
以上説明した照明器具１０によれば、筐体３０の内部に埃捕集電極２１を設けたので、照明カバー１２を取り外さなくとも照明器具１０内部の汚れを防止することができる。また、内部カバー２４は合成樹脂製で静電気の影響により埃が付着してしまい白色などの明るい色であるからその汚れが目立ちやすいという問題があるのに対し、埃捕集電極２１を設けることで内部カバー２４の表面の汚れを防止できる。
【００１５】
なお、照明器具１０においては回路基板２０に環状の埃捕集電極２１を設けたが、本発明はこれに限られず、様々な形状の埃捕集電極を照明器具１０の様々な場所に設けることができる。例えば、埃捕集電極２１を環状でない形状に変形してもよく、埃捕集電極２１のように連続的な環状ではなく複数の電極を離間的に設けることでＬＥＤ素子２２の周りを囲っても良く、また複数のＬＥＤ素子２２を一括で囲うのではなくＬＥＤ素子２２を１つずつ別々に囲う複数の小型環状電極を設けても良い。また、埃捕集電極２１を回路基板２０ではなく内部カバー２４に設けても良く、あるいは回路基板２０以外の他の基板を用意してこれに埃捕集電極２１を設けても良い。
【００１６】
図６は、実施の形態の変形例にかかる照明器具１０を示す斜視図であり、図７はその断面図である。照明器具１０に、埃捕集電極２１の代わりに、照明カバー１２と筐体３０との間を塞ぐ封止材５０を設けてもよい。封止材５０の一端が照明カバー１２における光透過板１２ａと外枠部１２ｂとの間に挟みこまれておりこれらの間を封止している。封止材５０はさらに凹部３１の側面を連続的に伸びて凹部３１の底面まで延びている。このように照明カバー１２と筐体３０との間を連続的に密閉することで、照明基部１０の内部の汚れを防止でき、特に内部カバー２４が白色など汚れの目立つ色である場合に好ましい。封止材５０は、ごく微小サイズの埃をフィルタリングすることのできるフィルタであり、埃の進入防止が可能であればその材質は特に限定しない。この封止材５０は微細構造とすることが好ましく、その微細構造の表面積は照明器具１０の目標寿命を満足するのに十分な期間の埃捕集が可能な程度に大きいことが好ましい。なお図６では一例として封止材５０を一体の環状の部材として図示したが、本発明はこれに限られず、封止材料の小片からなる複数の小型の封止部材を用いて封止してもよい。なお、封止材５０は、埃の進入経路となる箇所にそれぞれ設けることが好ましい。また、例えば、図８に示すように内部カバー２４の長手方向の両方の端部２４ｂそれぞれに封止材５２を設けて、内部カバー２４の長手方向の両端部における開口を塞いでも良い。なお、封止材５０に、樹脂製のパッキンあるいはスポンジなどを用いても良い。
【００１７】
図９は、実施の形態の変形例にかかる照明器具１０を示す断面図である。照明器具１０に、埃捕集電極２１の代わりに、照明カバー１２の内側面を清掃する清掃手段６０を設けても良い。清掃手段６０は、照明カバー１２の表面方向に移動可能な可動部６２と、可動部に設けられた掃除部６４とを備えている。掃除部６４は例えばブラシまたはスポンジなどのワイピング手段であり、可動部６２の移動に伴って照明カバー１２の内側面に接することでこの内側面を掃除（ワイピング）する。なお、本発明は照明カバー１２の内側面を掃除する形態のみに限られない。掃除部６４が内部カバー２４の主面２４ａおよび窪み部２４ｄに接するように配置して（つまり図９で掃除部６４を紙面上側に設けて）、これらの表面を掃除するようにしてもよい。また、図９で掃除部６４を紙面下側と紙面上側の二箇所に設けて、照明カバー１２の内側面と主面２４ａおよび窪み部２４ｄの表面の両方を掃除しても良い。また、可動部６２を移動させる機構は図示していないが、例えば図９の紙面奥行き方向にレール部材を設けるなどして可動部６２を図９の紙面横方向に可動させればよい。
【００１８】
なお、埃捕集電極２１、封止材５０、および清掃手段６０は単独で用いるのみならず互いに組み合わせて照明器具１０に設けてもよい。
【００１９】
大気中には数μｍ以下のサイズの極微小な埃が含まれており、このような極微小埃の主成分は酸素、ケイ素、カルシウムなどである。照明器具１０のわずかな隙間から大気の流れがあり、その流れを堰き止めるような吹きだまりの構造、静電気等の電位差、温度分布・湿度分布などの影響により、照明器具１０の内部にこの極微小な埃が堆積するものである。本実施の形態によれば、このような極微小な埃が堆積して照明器具１０の内部が汚れる問題を抑制することができる。
【００２０】
なお、照明器具１０はいわゆるシーリングライトであるが、本発明はこれに限られず、ベースライト、ダウンライト、スポットライト、ブラケット型、あるいはペンダント型といった様々な形状の照明器具に適用することができる。なお、内部カバー２４は、照明器具の形状に応じて省略されても良い。
【符号の説明】
【００２１】
１  天井、１０  照明器具、１２  照明カバー、１２ａ  光透過板、１２ｂ  外枠部、１４  Ｖ型反射板、２０  回路基板、２１  埃捕集電極、２２  ＬＥＤ素子、２３  埃捕集回路、２４  内部カバー、２４ａ  主面、２４ｂ  端部、２４ｃ  側壁部、２４ｄ  窪み部、２５  ＬＥＤ点灯回路、３０  筐体、３１  凹部、３４  縁部、５０  封止材、６０  清掃手段、６２  可動部、６４  掃除部
【図１】
2015153469.tif 000003
【図２】
2015153469.tif 000004
【図３】
2015153469.tif 000005
【図４】
2015153469.tif 000006
【図５】
2015153469.tif 000007
【図６】
2015153469.tif 000008
【図７】
2015153469.tif 000009
【図８】
2015153469.tif 000010
【図９】
2015153469.tif 000011